(57)【要約】【課題】会計取引中の顧客にのみ取引情報が見えるようにする。【解決手段】商品販売データ処理システム１０１は、ＰＯＳ装置２０１と携帯電話機３０１とから構成されており、これらは互いに赤外線信号や電波信号による近距離無線通信によってデータ通信が可能となっている。ＰＯＳ装置２０１に接続されているコードスキャナから商品に付された商品コードが入力されると、入力された商品コードに基づく取引情報がＰＯＳ装置２０１から送信出力される。携帯電話機３０１は、送信出力された取引情報を受信したと判定すると、この取引情報を端末表示部３０３に表示する。【選択図】図１
2009277055.tif 000002
【特許請求の範囲】
【請求項１】
商品コードを入力するための商品コード入力部と、近距離無線通信を実行する第１通信部と、情報処理を実行する第１情報処理部と、を備える商品販売データ処理装置と、
情報を表示する端末表示部と、近距離無線通信を実行する第２通信部と、情報処理を実行する第２情報処理部と、を備える顧客所持端末と、
前記第１情報処理部が、前記商品コード入力部から入力された商品コードに基づく取引情報を前記第１通信部に送信出力させる送信出力処理を実行する手段と、
前記第２情報処理部が、前記第２通信部が受信した取引情報を前記端末表示部に表示させる表示処理を実行する手段と、
を備える商品販売データ処理システム。
【請求項２】
前記第２情報処理部は、前記第２通信部に前記顧客所持端末を特定する端末コードを送信出力させ、
前記第１情報処理部は、前記第１通信部が端末コードを受信したと判定した場合、前記送信出力処理において前記取引情報とともに当該端末コードを前記第１通信部に送信出力させ、
前記第２情報処理部は、前記第２通信部が取引情報とともに受信した端末コードと前記顧客所持端末の端末コードとが一致すると判定した場合にのみ、前記表示処理を実行する、
請求項１記載の商品販売データ処理システム。
【請求項３】
前記商品販売データ処理装置は、情報を表示する客用表示部を備え、
前記第１情報処理部は、前記第１通信部が端末コードを受信していないと判定した場合、前記客用表示部に前記取引情報を表示させる処理を実行し、
前記第１情報処理部は、前記第１通信部が端末コードを受信したと判定した場合、前記客用表示部に前記取引情報を表示させずに前記送信出力処理を実行する、
請求項２記載の商品販売データ処理システム。
【請求項４】
前記第１情報処理部は、取引情報の送信出力先となる顧客所持端末の端末コードを定義した記憶部に記憶されている認証テーブルにアクセスし当該認証テーブルに定義されている端末コードを前記第１通信部が受信したと判定した場合、前記送信出力処理を実行する、請求項２又は３記載の商品販売データ処理システム。
【請求項５】
商品コードを入力するための商品コード入力部と、
近距離無線通信を実行する第１通信部と、
前記商品コード入力部から入力された商品コードに基づく取引情報を前記第１通信部に送信出力させる送信出力処理を実行する第１情報処理部と、
を備える商品販売データ処理装置。
【請求項６】
前記第１情報処理部は、前記第１通信部が顧客所持端末を特定する端末コードを受信したと判定した場合、前記送信出力処理において前記取引情報とともに当該端末コードを前記第１通信部に送信出力させる、請求項５記載の商品販売データ処理装置。
【請求項７】
情報を表示する客用表示部を備え、
前記第１情報処理部は、前記第１通信部が端末コードを受信していないと判定した場合、前記客用表示部に前記取引情報を表示させる処理を実行し、
前記第１情報処理部は、前記第１通信部が端末コードを受信したと判定した場合、前記客用表示部に前記取引情報を表示させずに前記送信出力処理を実行する、
請求項６記載の商品販売データ処理装置。
【請求項８】
前記第１情報処理部は、取引情報の送信出力先となる顧客所持端末の端末コードを定義した記憶部に記憶されている認証テーブルにアクセスし当該認証テーブルに定義されている端末コードを前記第１通信部が受信したと判定した場合にのみ、前記送信出力処理を実行する、請求項６又は７記載の商品販売データ処理装置。
【請求項９】
情報を表示する端末表示部と、近距離無線通信を実行する第２通信部と、を備える顧客所持端末のコンピュータにインストールされ、当該コンピュータに、
商品販売データ処理装置から送信出力され前記第２通信部が受信した取引情報を前記端末表示部に表示させる表示処理を実行する機能を実現させる顧客所持端末用プログラム。
【請求項１０】
前記第２通信部に前記顧客所持端末を特定する端末コードを送信出力させる機能と、
前記商品販売データ処理装置から取引情報とともに送信出力され前記第２通信部が受信した端末コードと前記顧客所持端末の端末コードとが一致すると判定した場合にのみ、前記表示処理を実行する機能と、
を前記コンピュータに実現させる、請求項９記載の顧客所持端末用プログラム。
【発明の詳細な説明】
【技術分野】
【０００１】
本発明は、商品販売管理を行うためにスーパーマーケット等の店舗に導入されている商品販売データ処理装置、この商品販売データ処理装置と携帯電話等の顧客所持端末とを備えて構成される商品販売データ処理システム、及び、この顧客所持端末にインストールされる顧客所持端末用プログラムに関する。
【背景技術】
【０００２】
従来、コードスキャナ等で商品コードが入力される毎に会計取引中の顧客に向けて設置された客用表示器に取引情報を表示するＰＯＳ装置（商品販売データ処理装置）が、スーパーマーケット等の店舗に導入されている。顧客は、客用表示器に表示される取引情報を見て、自分が購入しようとする商品を確認したり、店員（チェッカ）の商品コード読取作業に誤りがないかをチェックしたりすることができる。ところが、顧客の中には、購入しようとする商品を他人に知られたくなく、客用表示器に取引情報が表示されることを嫌がる者も存在する。そこで、客用表示器にブラインドを設けて、会計取引中の顧客以外に取引情報が見えないようにすることが行われている（例えば、特許文献１）。
【０００３】
【特許文献１】特許第３０５９６３８号公報
【発明の開示】
【発明が解決しようとする課題】
【０００４】
しかしながら、客用表示器にブラインドを設けたとしても、会計取引を終えて会計待ちの列から外れたり、会計取引を待つ列に並んでいる間に客用表示器のほうに身を乗り出したりする顧客には、客用表示器に表示されている取引情報が見えてしまう。
【０００５】
本発明の目的は、会計取引中の顧客にのみ取引情報が見えるようにすることである。
【課題を解決するための手段】
【０００６】
本発明の商品販売データ処理システムは、商品コードを入力するための商品コード入力部と、近距離無線通信を実行する第１通信部と、情報処理を実行する第１情報処理部と、を備える商品販売データ処理装置と、情報を表示する端末表示部と、近距離無線通信を実行する第２通信部と、情報処理を実行する第２情報処理部と、を備える顧客所持端末と、前記第１情報処理部が、前記商品コード入力部から入力された商品コードに基づく取引情報を前記第１通信部に送信出力させる送信出力処理を実行する手段と、前記第２情報処理部が、前記第２通信部が受信した取引情報を前記端末表示部に表示させる表示処理を実行する手段と、を備える。
【０００７】
本発明の商品販売データ処理装置は、商品コードを入力するための商品コード入力部と、近距離無線通信を実行する第１通信部と、前記商品コード入力部から入力された商品コードに基づく取引情報を前記第１通信部に送信出力させる送信出力処理を実行する第１情報処理部と、を備える。
【０００８】
本発明の顧客所持端末用プログラムは、情報を表示する端末表示部と、近距離無線通信を実行する第２通信部と、を備える顧客所持端末のコンピュータにインストールされ、当該コンピュータに、商品販売データ処理装置から送信出力され前記第２通信部が受信した取引情報を前記端末表示部に表示させる表示処理を実行する機能を実現させる。
【発明の効果】
【０００９】
本発明によれば、商品販売データ処理装置から送信出力された取引情報は、顧客所持端末の端末表示部に表示されるため、会計取引中の顧客にのみ取引情報が見えるようにすることができる。
【発明を実施するための最良の形態】
【００１０】
本発明の実施の一形態（第一の実施の形態）について、図１ないし図９に基づいて説明する。
【００１１】
図１は、商品販売データ処理システム１０１及びこれを含む広域ネットワーク網の概要を示す模式図である。スーパーマーケット１０のレジエリア１１には、商品販売データ処理装置としてのＰＯＳ装置２０１が複数台設置されている。これらのＰＯＳ装置２０１には、第１通信部としての無線通信ユニット２１０（図３参照）が備わっている。この無線通信ユニット２１０には、顧客２２が各自所有している顧客所持端末としての携帯電話機３０１に備わる第２通信部としての無線通信ユニット３０４（図３参照）と、キャリア網２１（通信事業者網）を介さない近距離無線通信を実行する。このようなＰＯＳ装置２０１と携帯電話機３０１とは、商品販売データ処理システム１０１を構成している。
【００１２】
ＰＯＳ装置２０１は、スーパーマーケット１０内に配設されたＬＡＮネットワーク１２を介して、バックヤード１３に設置されているストアコントローラ１４に接続されている。ストアコントローラ１４は、ＬＡＮネットワーク１２を介してＰＯＳ装置２０１を統括管理する。ストアコントローラ１４は、ＬＡＮネットワーク１２に接続されたルータ１５を介して、インターネット網１６に接続することができる。インターネット網１６には、プロバイダ１７に設置されているウェブサーバ１８が接続されている。ウェブサーバ１８には、携帯電話機３０１上で起動可能な取引情報表示プログラム２３と、インターネット網１６に向けて公開される会員登録サイト２４とが記憶保存されている。会員登録サイト２４は、携帯電話機３０１から送信される端末コードとしての個体識別情報と顧客の所定の個人情報を受信するのと引き換えに会員登録を行って取引情報表示プログラム２３をダウンロード可能にする処理の内容を記述したスクリプトを含むＨＴＭＬ言語で記述されたページソースにより構成されている。なお、個体識別情報とは、各携帯電話に割り当てられているユニークな情報である。また、ウェブサーバ１８が受信した個体識別情報は、スーパーマーケット１０のストアコントローラ１４に向けて適宜配信され、ストアコントローラ１４内の認証テーブル２５に記憶保存される。ここで、ストアコントローラ１４は、認証テーブル２５を記憶する記憶部としての役割を果たしている。
【００１３】
携帯電話機３０１は、キャリア網２１を介して、インターネット網１６上に公開されているデータの中から携帯電話機３０１の端末操作部３０２から入力されたＵＲＩ（Ｕｎｉｆｏｒｍ  Ｒｅｓｏｕｒｃｅ  Ｉｄｅｎｔｉｆｉｅｒ）で特定されるデータを取得し、携帯電話機３０１にダウンロードして記憶保存したり、端末表示部３０３に表示したりする機能を備えている。このような機能は一般的なものであるので、説明を省略する。なお、インターネット網１６とキャリア網２１との間のデータ通信は、キャリア１９（通信事業者）に設置されるゲートウェイサーバ２０が実現している。
【００１４】
携帯電話機３０１には、会員登録サイト２４にアクセスしてこの会員登録サイト２４を介してウェブサーバ１８からダウンロードされた取引情報表示プログラム２３がＥＥＰＲＯＭ３５３に記憶保存されている。以降、ＥＥＰＲＯＭ３５３に記憶保存された取引情報表示プログラム２３には、符号「３０５」を付して説明する。
【００１５】
このように構成された商品販売データ処理システム１０１において、顧客２２は、スーパーマーケット１０に来店して購入予定の商品をレジエリア１１に持ち寄る際、携帯電話機３０１上で取引情報表示プログラム３０５を起動する。取引情報表示プログラム３０５を起動した場合、携帯電話機３０１は、ＰＯＳ装置２０１から送信出力される取引情報の受信を待機した状態となる。ＰＯＳ装置２０１は、商品コード入力部としてのコードスキャナ２０７（図２ないし図４参照）から商品コードが入力されるたびに、入力された商品コードに基づく取引情報を無線で送信出力する。携帯電話機３０１は、ＰＯＳ装置２０１から無線で送信出力される取引情報を受信すると、端末表示部３０３に表示する。このため、顧客２２は、手許にある携帯電話機３０１の端末表示部３０３に表示される取引情報を見て、自分が購入しようとする商品を確認したり、店員（チェッカ）の商品コード読取作業に誤りがないかをチェックしたりすることができる。また、携帯電話機３０１は顧客２２の手許にあるために、会計取引中の顧客２２以外には取引情報が見えることはない。
【００１６】
なお、本実施の形態の商品販売データ処理システム１０１において、無線通信ユニット２１０、３０４はいずれもＢｌｕｅｔｏｏｔｈ規格に対応した、２．４ＧＨｚの周波数帯の電波を用いて近距離無線通信を行うものが採用される。一般に、Ｂｌｕｅｔｏｏｔｈ規格による近距離無線通信の通信可能距離は１０〜１００メートル程度であるが、この通信可能距離は電波の出力強度を調整することによって適宜変更することが可能である。そして、ＰＯＳ装置２０１から送信出力される電波の出力強度を調整して近距離無線通信が可能な空間領域をＰＯＳ装置２０１の近傍に限定することができる。本実施の形態の商品販売データ処理システム１０１では、会計取引中の顧客２２が所持する携帯電話機３０１だけがＰＯＳ装置２０１と近距離無線通信できるよう電波の出力強度が調整されている場合を想定している。
【００１７】
図２は、店員側から見たＰＯＳ装置２０１を示す外観斜視図である。図３は、顧客側から見たＰＯＳ装置２０１を示す外観斜視図である。ＰＯＳ装置２０１は、レジエリア１１のレジカウンタ１１ａに載置されたドロワ２０２と、この上に載置されたＰＯＳ端末２０３とにより構成されている。ＰＯＳ端末２０３のハウジング２０４の上面には、液晶ディスプレイである店員用表示器２０５が店員側に向けて立設されている。ハウジング２０４の上面で店員用表示器２０５の足許から店員側には、操作入力を行うためのキーボード２０６が設けられている。キーボード２０６には、数字を入力するためのテンキーと、商品コードの入力を打ち切って顧客２２の購入予定商品を確定しそれらの小計金額を算出する締め処理のトリガとなる締めキーと、商品代金の決済を実行する決済処理のトリガとなる決済キーとが含まれている。また、ＰＯＳ端末２０３には、商品コード入力部としてのコードスキャナ２０７が接続されている。コードスキャナ２０７は、その把持部を店員側に向けた状態で、商品に付されているコードシンボル化された商品コードを光学的に読み取りデコードして、そのデコード結果である商品コードをＰＯＳ装置２０１に入力する。このコードスキャナ２０７は、ハウジング２０４の上面で店員用表示器２０５の左側に形成されているコードスキャナ載置部２０８に載置されている。
【００１８】
ＰＯＳ端末２０３のハウジング２０４の顧客側の面には、液晶ディスプレイである客用表示器２０９が取り付けられている。客用表示器２０９の右側にあたるハウジング２０４の内部には、携帯電話機３０１に備わる無線通信ユニット３０４（図５も参照）との間でＢｌｕｅｔｏｏｔｈ規格による電波通信を行う無線通信ユニット２１０（図４も参照）が内蔵されている。
【００１９】
図４は、ＰＯＳ装置２０１の電気的構成を示すブロック図である。ＰＯＳ装置２０１は、情報処理を実行する第１情報処理部２５１を備える。第１情報処理部２５１は、ＣＰＵ２５２とＲＯＭ２５３とＲＡＭ２５４とにより構成されている。ＣＰＵ２５２は、入出力回路（図示せず）を介して、ドロワ２０２、キーボード２０６、店員用表示器２０５、客用表示器２０９、コードスキャナ２０７、無線通信ユニット２１０、ＬＡＮネットワーク１２に接続するためのＬＡＮインタフェイス２１１と接続し、これら各部を制御する処理を実行する。また、ＣＰＵ２５２には、ＨＤＤ２５５やＣＤ−ＲＯＭドライブ２５６が接続されている。
【００２０】
ＨＤＤ２５５には、ＯＳ２５７、ドライバ２５８、各種のアプリケーションプログラム２５９、商品データファイル２６０等を含む各種のプログラム及びデータファイルが記憶されている。アプリケーションプログラム２５９には、ＣＰＵ２５２が実行する商品販売データ処理（図７参照）を実現する商品販売データ処理プログラムも含まれている。商品データファイル２６０には、商品を特定する商品コードと、商品名、商品が属する部門、商品単価、値引情報等の商品情報とが対応付けられて格納されている。これらのプログラムやデータは、ＣＤ−ＲＯＭドライブ２５６を介してＣＤ−ＲＯＭ媒体２６１からインストールされる。なお、これらのプログラムやデータは、ＬＡＮインタフェイス２１１を介してストアコントローラ１４から受信した更新用プログラムをＣＰＵ２５２が実行することにより、ＨＤＤ２５５にインストールされるようにしてもよい。なお、ＣＰＵ２５２は、ＰＯＳ装置２０１の起動時に、ＯＳ２５７、ドライバ２５８、各種のアプリケーションプログラム２５９、商品データファイル２６０等の各種のプログラム及びデータファイルをＲＡＭ２５４に読み込んで、これらのプログラムの記述内容に従った処理を実行する。
【００２１】
図５は、携帯電話機３０１のハードウェア構成を示すブロック図である。携帯電話機３０１には、情報処理を実行する第２情報処理部としてのマイクロコンピュータ３５１が内蔵されている。マイクロコンピュータ３５１は、ＣＰＵ３５２とＥＥＰＲＯＭ３５３とを備えて構成されている。ＥＥＰＲＯＭ３５３には、個々の携帯電話機３０１を特定する端末コードとしての個体識別情報が記憶されている。ＣＰＵ３５２は、入出力回路（図示せず）を介して、端末操作部３０２、端末表示部３０３、無線通信ユニット３０４、マイク３０６、スピーカ３０７及び携帯電話通信回路３０８と接続し、ＥＥＰＲＯＭ３５３に記憶されている各種のプログラムに従ってこれら各部を制御する。携帯電話通信回路３０８は、キャリア網２１に対し電波を送受信するためのアンテナ３０９と接続している。
【００２２】
ＥＥＰＲＯＭ３５３には、端末操作部３０２から指定入力されたＵＲＩにより特定されるインターネット網１６上のデータにアクセスしてそのデータをＨＴＴＰプロトコルを用いて解釈して端末表示部３０３に表示したりＥＥＰＲＯＭ３５３に記憶保存したりする処理内容を記述したブラウザソフトウェア３５５を含む各種のプログラムが記憶保存されている。さらに、図６に示す手順で、インターネット網１６を介してウェブサーバ１８からダウンロードされた取引情報表示プログラム３０５も記憶されている。
【００２３】
図６は、携帯電話機３０１に取引情報表示プログラム３０５をインストールする手順を示す説明図である。顧客２２は、携帯電話機３０１の端末表示部３０３を見ながら端末操作部３０２を操作して携帯電話機３０１に記憶されているブラウザソフトウェア３５５を起動し、端末操作部３０２から会員登録サイト２４を特定するＵＲＩ（Ｕｎｉｆｏｒｍ  Ｒｅｓｏｕｒｃｅ  Ｉｄｅｎｔｉｆｉｅｒ）を指定入力してこの会員登録サイト２４にアクセスする。ウェブサーバ１８は、ＵＲＩの送信元である携帯電話機３０１に向けて、会員登録サイト２４を構成するデータを送信する。携帯電話機３０１の端末表示部３０３には、ウェブサーバ１８から送信されたデータに基づいて会員登録サイト２４が表示される。会員登録サイト２４は、取引情報表示プログラム２３のダウンロードを開始するダウンロードボタン（図示せず）と、このダウンロードボタンを選択すると携帯電話機３０１の個体識別情報がウェブサーバ１８に送信されるとともに取引情報表示プログラム２３が携帯電話機３０１にダウンロードされる旨を示すメッセージ（図示せず）と、顧客２２の氏名や住所、性別や年齢等の個人情報を入力するためのフォーム（図示せず）を含んで構成されている。顧客２２は、会員登録サイト２４が表示された携帯電話機３０１の端末表示部３０３を見ながら端末操作部３０２を操作して、フォームに個人情報を入力した状態でダウンロードボタンを選択して、携帯電話機３０１の個体識別情報をウェブサーバ１８に送信する。ウェブサーバ１８は、携帯電話機３０１の個体識別情報及びフォームに入力された個人情報のデータを受信すると、この個体識別情報の送信元の携帯電話機３０１に向けて取引情報表示プログラム２３を送信する。携帯電話機３０１は、取引情報表示プログラム２３を受信すると、ＥＥＰＲＯＭ３５３に記憶保存する。なお、以上のような携帯電話機３０１とウェブサーバ１８との間のデータ通信は、キャリア網２１及びインターネット網１６を介して行われる。
【００２４】
ウェブサーバ１８は、携帯電話機３０１から送信された個体識別情報及び個人情報のデータを記憶保存し、所定の時間間隔で、もしくは、ストアコントローラ１４からのデータ送信要求に応じて、各スーパーマーケット１０のストアコントローラ１４に配信する。ストアコントローラ１４は、ウェブサーバ１８から配信される個体識別情報を受信すると、認証テーブル２５に記憶する。また、ストアコントローラ１４は、ウェブサーバ１８から配信される個人情報のデータを受信すると、ストアコントローラ１４内の個人情報データテーブル（図示せず）に記憶する。なお、以上のようなウェブサーバ１８とストアコントローラ１４との間のデータ通信は、インターネット網１６及びＬＡＮネットワーク１２を介して行われる。
【００２５】
図７は、ＰＯＳ装置２０１で行われる商品販売データ処理、及び、携帯電話機３０１で行われる取引情報表示処理の流れについて示すフローチャートである。ＰＯＳ装置２０１のＣＰＵ２５２は、ＰＯＳ装置２０１の起動中、アプリケーションプログラム２５９に含まれている商品販売データ処理プログラムの記述に従って商品販売データ処理を実行し、コードスキャナ２０７からの商品コードの入力を待機している（ステップＳ２０１）。
【００２６】
まず、ＰＯＳ装置２０１のＣＰＵ２５２は、コードスキャナ２０７からの商品コードの入力を判定した場合（ステップＳ２０１のＹ）、商品データファイル２６０を検索して入力された商品コードに対応する商品情報を取得する検索処理を実行し（ステップＳ２０２）、取得した商品情報をＲＡＭ２５４に記憶し（ステップＳ２０３）、無線通信ユニット２１０に取引情報を送信出力させる（ステップＳ２０４）。ここで重要なのは、ＰＯＳ装置２０１のＣＰＵ２５２は、取引情報を客用表示器２０９に表示させる処理を行わずに、無線通信ユニット２１０に送信出力させるという点である。続いて、ＰＯＳ装置２０１のＣＰＵ２５２は、キーボード２０６の締めキーの押下、及び、コードスキャナ２０７からの次の商品コードの入力のいずれかを待機し（ステップＳ２０５、ステップＳ２０６）、次の商品コードの入力を判定した場合には処理をステップＳ２０２に戻し（ステップＳ２０６のＹ）、締めキーの押下を判定した場合には商品コードの入力を打ち切って顧客２２の購入予定商品を確定しそれらの小計金額を算出する締め処理を実行する（ステップＳ２０５のＹ、ステップＳ２０７）。締め処理に続いて、ＰＯＳ装置２０１のＣＰＵ２５２は、無線通信ユニット２１０に商品コードの入力が完了したことを示す完了通知を送信出力させる（ステップＳ２０８）。ここで、締め処理（ステップＳ２０７）では顧客２２の購入予定商品の小計金額が算出されているため、ＰＯＳ装置２０１のＣＰＵ２５２は、ステップＳ２０８で完了通知を送信出力する際に、併せて小計金額も無線通信ユニット２１０に送信出力させる。ステップＳ２０８に続いて、ＰＯＳ装置２０１のＣＰＵ２５２は、支払代金の決済処理を実行し（ステップＳ２０９）、レシートの印刷発行やストアコントローラ１４に売上記録を送信する等の後処理を実行して（ステップＳ２１０）、商品販売データ処理を終了する。
【００２７】
一方、携帯電話機３０１のＣＰＵ３５２は、端末操作部３０２から取引情報表示プログラム３０５の起動を指定する操作入力がなされると、この取引情報表示プログラム３０５の記述に従って取引情報表示処理を開始する。このため、顧客２２は、レジエリア１１にて購入予定商品の会計を行う際、予め携帯電話機３０１の端末操作部３０２を操作して、取引情報表示プログラム３０５を起動した状態にしておく必要がある。
【００２８】
取引情報表示処理を開始すると、携帯電話機３０１のＣＰＵ３５２は、ＰＯＳ装置２０１から送信される取引情報及び完了通知のいずれかを無線通信ユニット３０４が受信することを待機した状態となる（ステップＳ１０１、ステップＳ１０２）。取引情報を受信した場合（ステップＳ１０１のＹ）、携帯電話機３０１のＣＰＵ３５２は、受信した取引情報を端末表示部３０３に表示させ（ステップＳ１０３）、処理をステップＳ１０１に戻す。また、完了通知を受信した場合（ステップＳ１０２のＹ）、携帯電話機３０１のＣＰＵ３５２は、端末表示部３０３に取引完了の旨を表示させて（ステップＳ１０４）、取引情報表示処理を終了する。
【００２９】
図８は、携帯電話機３０１の端末表示部３０３での表示の一例を示す模式図である。図８に示す例では、取引情報７０１として、商品の部門７０２と商品名７０３と商品の個数７０４とから構成される横書き一行分の文字列が三行分表示されている。取引情報７０１は、携帯電話機３０１のＣＰＵ３５２がステップＳ１０３に示す処理を行うたびに一行ずつ上から順に表示される。また、端末表示部３０３の下方には、完了通知とともにＰＯＳ装置２０１から送信される小計金額７０５と、小計金額７０５に消費税等の税率計算を加味して算出された合計金額７０６とが表示される。
【００３０】
図９は、商品販売データ処理システム１０１におけるデータの流れの一例を示したタイムチャートである。本実施の形態の商品販売データ処理システム１０１では、購入予定の商品の会計取引を行う際、顧客２２は、レジエリア１１に設置されたＰＯＳ装置２０１の近傍で、取引情報表示プログラム３０５がインストールされている携帯電話機３０１を取り出し、端末操作部３０２からこの取引情報表示プログラム３０５を起動する操作を行う。この取引情報表示プログラム３０５が起動すると、携帯電話機３０１は、ＰＯＳ装置２０１から送信出力される取引情報の受信を待機した状態になる。この状態で、ＰＯＳ装置２０１に接続されたコードスキャナ２０７から商品コードが入力されると、客用表示器２０９に取引情報が表示されずに、ＰＯＳ装置２０１の無線通信ユニット２１０からは、入力された商品コードに基づく取引情報が送信出力される。携帯電話機３０１では、無線通信ユニット３０４に取引情報が受信されると、その取引情報が端末表示部３０３に表示される。その後、ＰＯＳ装置２０１のキーボード２０６の締めキーが押下された場合、ＰＯＳ装置２０１では、無線通信ユニット２１０から商品コードの入力が完了した旨を示す完了通知が送信出力される。携帯電話機３０１では、無線通信ユニット３０４が完了通知を受信したと判定されると、端末表示部３０３に取引完了の旨が表示される。顧客２２は、端末操作部３０２を操作して携帯電話機３０１に備わるデータ保存機能を用いて携帯電話機３０１が受信した取引情報をＥＥＰＲＯＭ３５３に記憶保存したり、携帯電話機３０１に備わるメール送信機能を用いて電子メールとして送信したりすることもできる。
【００３１】
このように、本実施の形態の商品販売データ処理システム１０１によれば、ＰＯＳ装置２０１から送信出力された取引情報は、携帯電話機３０１の端末表示部３０３に表示されるため、会計取引中の顧客２２は、手許にある携帯電話機３０１の端末表示部３０３に表示される取引情報を見て、自分が購入しようとする商品を確認したり、店員（チェッカ）の商品コード読取作業に誤りがないかをチェックしたりすることができる。また、携帯電話機３０１は顧客２２の手許にあり、また、客用表示器２０９には取引情報が表示されないために、会計取引中の顧客２２以外には取引情報が見えることはない。
【００３２】
なお、本実施の形態の商品販売データ処理システム１０１に対する別の実施の形態として、ＰＯＳ装置２０１のＣＰＵ２５２は、携帯電話機３０１に取引情報を表示させるために無線通信ユニット２１０から取引情報を送信出力している間（図７のステップＳ２０４）、客用表示器２０９に「現在お客様の携帯電話機に会計情報を表示中です」というようなメッセージをスクロール表示させる処理を行うようにしてもよい。
【００３３】
また、本形態の商品販売データ処理システム１０１では、近距離無線通信の方式として、Ｂｌｕｅｔｏｏｔｈ規格による電波通信を採用したが、この他にも、ＩｒＤＡ規格による赤外線無線通信や、Ｗｉ−Ｆｉによる無線ＬＡＮ接続を採用することができる。近距離無線通信の方式として赤外線無線通信を採用する場合、ＰＯＳ装置２０１には赤外線通信ポートを、赤外線信号が客側に向けて出力される箇所に設ける必要がある。そして、顧客２２は、ＰＯＳ装置２０１の近傍で赤外線通信ポートから送信出力される赤外線信号（無線信号）を受信できる位置に携帯電話機３０１を位置付けて、ＰＯＳ装置２０１と携帯電話機３０１とに近距離無線通信を実行させる。
【００３４】
一方、本実施の形態のように、近距離無線通信の方式として電波通信や無線ＬＡＮ接続を採用する場合、赤外線無線通信の場合よりも無線信号が受信可能な空間範囲は大きい。このため、顧客２２は、ＰＯＳ装置２０１の近傍に携帯電話機３０１を位置付けて、ＰＯＳ装置２０１と携帯電話機３０１とに近距離無線通信を実行させることができる。  
次いで、本発明の別の実施の一形態（第二の実施の形態）について、図１０ないし図１３に基づいて説明する。この場合、第一の実施の形態と同一の部分は同じ符号を用い、説明も省略する。本実施の形態の商品販売データ処理システム１０１は、複数の携帯電話機３０１がＰＯＳ装置２０１から送信出力される無線信号を受信できる空間範囲内に位置付けられた場合に、一の携帯電話機３０１にのみ取引情報を表示させるものである。
【００３５】
図１０は、本実施の形態における、商品販売データ処理システム１０１の概要を示す模式図である。本実施の形態の商品販売データ処理システム１０１では、これから会計取引を行うとする顧客２２は、会計取引直前に、携帯電話機３０１の端末操作部３０２から操作を行って、携帯電話機３０１に記憶されている個体識別情報を送信出力する。本実施の形態のＰＯＳ装置２０１は、この個体識別情報を受信すると、取引情報を無線通信ユニット２１０（図３及び図４参照）から送信出力する際に、取引情報とともに受信した個体識別情報も送信出力する。そして、携帯電話機３０１では、ＥＥＰＲＯＭ３５３（図５参照）に記憶されている個体識別情報と、取引情報とともに送信出力されて無線通信ユニット３０４（図３及び図５参照）で受信された個体識別情報とが一致しているか否かが判定され、一致している場合にのみ、受信された取引情報が端末表示部３０３に表示される。このため、本実施の形態の商品販売データ処理システム１０１では、会計取引を行っている顧客２２が所持する携帯電話機３０１以外の別の携帯電話機には、取引情報が表示されないようになっている。
【００３６】
さらに、本実施の形態の商品販売データ処理システム１０１では、ＰＯＳ装置２０１が個体識別情報を受信していない場合には、取引情報の無線送信出力は行われず、ＰＯＳ装置２０１に備わっている客用表示器２０９（図３及び図４参照）に取引情報を表示する。このため、本実施の形態の商品販売データ処理システム１０１では、携帯電話機３０１を持ち合わせていない顧客２２が客用表示器２０９を見て、自分が購入しようとする商品を確認したり、店員（チェッカ）の商品コード読取作業に誤りがないかをチェックしたりすることができる。
【００３７】
なお、本実施の形態において、ＰＯＳ装置２０１のＨＤＤ２５５にインストールされているアプリケーションプログラム２５９には、図１１に示す個体識別情報受信処理の処理内容を記述した個体識別情報受信プログラム（図示せず）も含まれている。また、本実施の形態において、取引情報表示プログラム３０５には、図１１に示す個体識別情報送信処理の処理内容も記述されている。
【００３８】
図１１は、ＰＯＳ装置２０１で行われる個体識別情報受信処理、及び、携帯電話機３０１で行われる個体識別情報送信処理の流れを示すフローチャートである。ＰＯＳ装置２０１のＣＰＵ２５２は、ＰＯＳ装置２０１の起動中、個体識別情報受信プログラム（図示せず）を起動して、携帯電話機３０１から送信される個体識別情報を無線通信ユニット２１０が受信することを待機している（ステップＳ４０１）。無線通信ユニット２１０が個体識別情報を受信したと判定すると（ステップＳ４０１のＹ）、ＰＯＳ装置２０１のＣＰＵ２５２は、受信した個体識別情報をＲＡＭ２５４に記憶し（ステップＳ４０２）、受信した個体識別情報とともに無線通信ユニット２１０に受信通知を送信出力させて（ステップＳ４０３）、個体識別情報受信処理を終了する。
【００３９】
携帯電話機３０１のＣＰＵ３５２は、端末操作部３０２から取引情報表示プログラム３０５の起動を指定する操作入力がなされると、この取引情報表示プログラム３０５の記述に従って取引情報表示処理を開始する。取引情報表示プログラム３０５の記述に従った処理を行う中で、端末操作部３０２から個体識別情報を送信出力するための予め定められた操作入力がなされたと判定すると（ステップＳ３０１のＹ）、携帯電話機３０１のＣＰＵ３５２は、個体識別情報送信処理を開始して、ＥＥＰＲＯＭ３５３に記憶されている個体識別情報を無線通信ユニット３０４に送信出力させる（ステップＳ３０２）。ステップＳ３０２に続く処理として、携帯電話機３０１のＣＰＵ３５２は、ＰＯＳ装置２０１から送信出力される受信通知を無線通信ユニット３０４が受信することを待機する（ステップＳ３０３）。無線通信ユニット３０４が受信通知を受信したと判定した場合（ステップＳ３０３のＹ）、携帯電話機３０１のＣＰＵ３５２は、受信通知とともに受信した個体識別情報がＥＥＰＲＯＭ３５３に記憶されている個体識別情報と一致した場合にのみ（ステップＳ３０４のＹ）、端末表示部３０３に、個体識別情報がＰＯＳ装置２０１に受信された旨を示す確認表示を表示させ（ステップＳ３０５）、個体識別情報送信処理を終了する。なお、無線通信ユニット３０４が受信通知を受信したと判定しても個体識別情報が一致しない場合には（ステップＳ３０４のＮ）、携帯電話機３０１のＣＰＵ３５２は、処理をステップＳ３０３に戻し、無線通信ユニット３０４が再び受信通知を受信することを待機する。
【００４０】
図１２は、ＰＯＳ装置２０１で行われる商品販売データ処理、及び、携帯電話機３０１で行われる取引情報表示処理の流れについて示すフローチャートである。本実施の形態における商品販売データ処理では、ＰＯＳ装置２０１のＣＰＵ２５２は、ステップＳ２０３の後に無条件に取引情報を無線通信ユニット２１０に取引情報を送信出力させるのではなく（図７のステップ２０４参照）、ＲＡＭ２５４に携帯電話機３０１から送信出力された個体識別情報が記憶されているか否かを判定する（ステップＳ２０３ａ）。
【００４１】
ステップＳ２０３ａにおいて個体識別情報が記憶されていると判定した場合（ステップＳ２０３ａのＹ）、ＰＯＳ装置２０１のＣＰＵ２５２は、取引情報とともにこのＲＡＭ２５４に記憶されている個体識別情報を無線通信ユニット２１０に送信出力させて（ステップＳ２０３ｂ）、処理をステップＳ２０５に進める。これに対し、ステップＳ２０３ａにおいて個体識別情報が記憶されていないと判定した場合（ステップＳ２０３ａのＮ）、ＰＯＳ装置２０１のＣＰＵ２５２は、客用表示器２０９に取引情報を表示させて（ステップＳ２０３ｃ）、処理をステップＳ２０５に進める。すなわち、本実施の形態において、携帯電話機３０１から送信出力される個体識別情報をＰＯＳ装置２０１が受信しているか否かによって、取引情報を客用表示器２０９に表示するか、取引情報を無線通信ユニット２１０から送信出力するかのいずれかの処理が択一的に行われることになる。
【００４２】
また、本実施の形態における商品販売データ処理では、ＰＯＳ装置２０１のＣＰＵ２５２は、締め処理（ステップＳ２０７）と決済処理（ステップＳ２０９）との間に、個体識別情報がＲＡＭ２５４に記憶されているか否かを判定し（ステップＳ２０７ａ）、記憶されていると判定した場合にのみ（ステップＳ２０７ａのＹ）、無線通信ユニット２１０に完了通知を送信出力させる（ステップＳ２０８）。ここで、ＰＯＳ装置２０１のＣＰＵ２５２は、ステップＳ２０８において、完了通知とともにＲＡＭ２５４に記憶されている個体識別情報も無線通信ユニット２１０に送信出力させ、このステップＳ２０８に続く処理として、ＲＡＭ２５４に記憶した個体識別情報をクリアした上で（ステップＳ２０８ａ）、処理をステップＳ２０９に進める。
【００４３】
また、本実施の形態における取引情報表示処理では、携帯電話機３０１のＣＰＵ３５２は、無線通信ユニット３０４が取引情報を受信したと判定した場合（ステップＳ１０１のＹ）、この取引情報とともに無線通信ユニット３０４で受信された個体識別情報と、ＥＥＰＲＯＭ３５３に記憶されている個体識別情報とが一致するか否かを判定し（ステップＳ１０３ａ）、一致すると判定した場合にのみ（ステップＳ１０３ａのＹ）端末表示部３０３に取引情報を表示して（ステップＳ１０３）処理をステップＳ１０１に戻し、一致しない場合には（ステップＳ１０３ａのＮ）取引情報の表示を行わずに処理をステップＳ１０１に戻す。同様の個体識別情報の判定処理は、携帯電話機３０１で完了通知が受信された場合にも実行される（ステップＳ１０３ｂ）。ステップＳ１０３ｂにおいて、携帯電話機３０１のＣＰＵ３５２は、個体識別情報が一致すると判定した場合に（ステップＳ１０３ｂのＹ）処理をステップＳ１０４に進め、個体識別情報が一致しないと判定した場合に（ステップＳ１０３ｂのＮ）処理をステップＳ１０１に戻す。
【００４４】
図１３は、商品販売データ処理システム１０１におけるデータの流れの一例を示したタイムチャートである。本実施の形態の商品販売データ処理システム１０１では、通常、コードスキャナ２０７から入力された商品コードに基づく取引情報が客用表示器２０９に表示される。このため、携帯電話機３０１を持ち合わせていない顧客２２も、この客用表示器２０９に表示された取引情報を見て、自分が購入しようとする商品を確認することができる。
【００４５】
ここで、ある携帯電話機Ａから個体識別情報が送信出力された場合を考える。この場合、ＰＯＳ装置２０１がその携帯電話機Ａの個体識別情報を受信すると、その個体識別情報はＲＡＭ２５４に記憶され、客用表示器２０９に取引情報が表示されなくなり、この個体識別情報とともに取引情報が無線送信出力されるようになる。一方、本実施の形態の取引情報表示プログラム３０５が起動されている携帯電話機Ａ、Ｂでは、自己のＥＥＰＲＯＭ３５３に記憶されている個体識別情報と一致した個体識別情報を受信しない限り、受信通知、取引情報、及び、完了通知を無線通信ユニット３０４が受信されたと判定しても、端末表示部３０３に確認表示、取引情報の表示、及び、取引完了が表示されない。そのため、携帯電話Ａの端末表示部３０３には確認表示、取引情報の表示、及び、取引完了の表示がなされるが、携帯電話Ｂの端末表示部３０３には、これらの表示がなされない。
【００４６】
このように、本実施の形態の商品販売データ処理システム１０１によれば、レジカウンタ１１ａの近傍に取引情報表示プログラム３０５が起動された状態にある複数の携帯電話機３０１が存在しても、一の携帯電話機３０１の端末表示部３０３にのみ取引情報が表示され、そのほかの携帯電話機３０１の端末表示部３０３に取引情報等が表示されないようにすることができる。そして、店員（キャッシャ）は、会計取引を開始する際に顧客２２に対し個体識別情報を送信出力する操作を行うよう申し出て、その顧客２２が携帯電話機３０１から個体識別情報を送信出力する操作を行うことにより、その携帯電話機３０１の端末表示部３０３にのみ取引情報を表示させることができる。
【００４７】
次いで、本発明の別の実施の一形態（第三の実施の形態）について、図１４及び図１５に基づいて説明する。この場合、第二の実施の形態と同一の部分は同じ符号を用い、説明も省略する。
【００４８】
図１４は、本実施の形態における、商品販売データ処理システム１０１の概要を示す模式図である。本実施の形態の商品販売データ処理システム１０１では、ＰＯＳ装置２０１に送信される個体識別情報を基に、取引情報を表示しようとする携帯電話機３０１が取引情報を表示可能なものであるか否かが判定される。そして、携帯電話機３０１に取引情報表示プログラム３０５が記憶されていて取引情報を受信可能であると判定した場合にのみ、ＰＯＳ装置２０１から取引情報が無線で送信出力される。
【００４９】
図１５は、ＰＯＳ装置２０１で行われる個体識別情報受信処理、及び、携帯電話機３０１で行われる個体識別情報送信処理の流れを示すフローチャートである。本実施の形態の個体識別情報受信処理では、ＰＯＳ装置２０１のＣＰＵ２５２は、ＲＡＭ２５４に個体識別情報を記憶する処理（ステップＳ４０２）を実行した後に、ストアコントローラ１４に記憶されている認証テーブル２５にアクセスして、受信した個体識別情報はこの認証テーブル２５に記憶されているものであるか否かを判定する認証処理を実行する（ステップＳ４０４）。認証処理は、ＰＯＳ装置２０１のＣＰＵ２５２が、無線通信ユニット２１０で受信された個体識別情報をストアコントローラ１４に向けて無線通信ユニット２１０に送信させ、ストアコンピュータのＣＰＵ（図示せず）がこの個体識別情報が認証テーブル２５に含まれているか否かを判定してその判定結果をＰＯＳ装置２０１に返信し、ＰＯＳ装置２０１のＣＰＵ２５２がこの判定結果に基づいて、無線通信ユニット２１０が受信した個体識別情報が認証テーブル２５に記憶されているものであるか否かを判定する。
【００５０】
無線通信ユニット２１０が受信した個体識別情報が認証テーブル２５に記憶されているものであると判定した場合（ステップＳ４０５のＹ）、ＰＯＳ装置２０１のＣＰＵ２５２は、無線通信ユニット２１０に個体識別情報と認証成立通知とをともに送信出力させ（ステップＳ４０６）、個体識別情報送信処理を終了する。
【００５１】
これに対し、無線通信ユニット２１０が受信した個体識別情報が認証テーブル２５に記憶されていないと判定した場合（ステップＳ４０５のＮ）、ＰＯＳ装置２０１のＣＰＵ２５２は、無線通信ユニット２１０に個体識別情報と認証不成立通知とをともに送信出力させ（ステップＳ４０７）、認証テーブル２５に個体識別情報が記憶されていない携帯電話機３０１から個体識別情報が送信された旨を店員用表示器２０５に表示させるエラー処理を実行して（ステップＳ４０８）、個体識別情報送信処理を終了する。
【００５２】
また、本実施の形態の個体識別情報送信処理では、携帯電話機３０１のＣＰＵ３５２は、受信通知の代わりに、ＰＯＳ装置２０１から送信出力される認証成立通知もしくは認証不成立通知のいずれかの認証通知を無線通信ユニット３０４が受信することを待機する（ステップＳ３０３ａ）。無線通信ユニット３０４が認証通知を受信したと判定した場合（ステップＳ３０３ａのＹ）、携帯電話機３０１のＣＰＵ３５２は、認証通知とともに受信した個体識別情報とＥＥＰＲＯＭ３５３に記憶されている個体識別情報との一致不一致を判定する（ステップＳ３０４）。ステップＳ３０４において不一致であると判定した場合（ステップＳ３０４のＮ）、携帯電話機３０１のＣＰＵ３５２は、処理をステップＳ３０３ａに戻し、再び無線通信ユニット３０４が認証通知の受信することを待機する。これに対し、ステップＳ３０４において一致すると判定した場合（ステップＳ３０４のＹ）、携帯電話機３０１のＣＰＵ３５２は、受信した認証通知は認証成立通知及び認証不成立通知のいずれであるかを判定する（ステップＳ３０４ａ）。ステップＳ３０４ａにおいて受信した認証通知は認証成立通知であると判定した場合（ステップＳ３０４ａのＹ）、携帯電話機３０１のＣＰＵ３５２は、認証が成立した旨を端末表示部３０３に表示させる処理を実行し（ステップＳ３０４ｂ）、続いて、ＰＯＳ装置２０１から送信出力される取引情報や完了通知の受信を待機する（図７のステップＳ１０１及びステップＳ１０２参照）。これに対し、ステップＳ３０４ａにおいて受信した認証通知は認証不成立通知であると判定した場合（ステップＳ３０４ａのＮ）、携帯電話機３０１のＣＰＵ３５２は、認証が不成立であった旨を端末表示部３０３に表示させる処理を実行し（ステップＳ３０４ｃ）、取引情報や完了通知の受信を待機することなく、取引情報表示処理を終了する。
【００５３】
本実施の形態の商品販売データ処理システム１０１では、ＰＯＳ装置２０１において、携帯電話機３０１から送信出力された個体識別情報が認証テーブル２５に記憶されている個体識別情報と一致するか否かの判定が行われ、一致すると判定した場合にのみＰＯＳ装置２０１から取引情報が無線で送信出力される。つまり、本実施の形態の商品販売データ処理システム１０１では、スーパーマーケット１０にとって取引情報を表示させたい取引情報の送信出力先となる携帯電話機３０１の個体識別情報を予め認証テーブル２５に記憶しておくことによって、その個体識別情報により特定される携帯電話機３０１がＰＯＳ装置２０１の近傍に存在する場合にのみ取引情報を送信出力することができる。
【００５４】
ここで、認証テーブル２５には、会員登録サイト２４から会員登録を行って取引情報表示プログラム３０５をダウンロードした携帯電話機３０１の個体識別番号が記憶されている。このため、本実施の形態の商品販売データ処理システム１０１では、会員登録を行った顧客２２の携帯電話機３０１がＰＯＳ装置２０１の近傍に存在する場合にのみ、取引情報を送信出力するようにして、その顧客２２が所持する携帯電話機３０１の端末表示部３０３に取引情報を表示させることができる。
【図面の簡単な説明】
【００５５】
【図１】第一の実施の形態における、商品販売データ処理システム及びこれを含む広域ネットワーク網の概要を示す模式図である。
【図２】店員側から見たＰＯＳ装置を示す外観斜視図である。
【図３】顧客側から見たＰＯＳ装置を示す外観斜視図である。
【図４】ＰＯＳ装置（商品販売データ処理装置）の電気的構成を示すブロック図である。
【図５】携帯電話機（顧客所持端末）のハードウェア構成を示すブロック図である。
【図６】携帯電話機に取引情報表示プログラムをインストールする手順を示す説明図である。
【図７】ＰＯＳ装置で行われる商品販売データ処理、及び、携帯電話機で行われる取引情報表示処理の流れについて示すフローチャートである。
【図８】携帯電話機の端末表示部での表示の一例を示す模式図である。
【図９】商品販売データ処理システムにおけるデータの流れの一例を示したタイムチャートである。
【図１０】第二の実施の形態における、商品販売データ処理システムの概要を示す模式図である。
【図１１】ＰＯＳ装置で行われる個体識別情報受信処理、及び、携帯電話機で行われる個体識別情報送信処理の流れを示すフローチャートである。
【図１２】ＰＯＳ装置で行われる商品販売データ処理、及び、携帯電話機で行われる取引情報表示処理の流れについて示すフローチャートである。
【図１３】商品販売データ処理システムにおけるデータの流れの一例を示したタイムチャートである。
【図１４】第三の実施の形態における、商品販売データ処理システムの概要を示す模式図である。
【図１５】ＰＯＳ装置で行われる個体識別情報受信処理、及び、携帯電話機で行われる個体識別情報送信処理の流れを示すフローチャートである。
【符号の説明】
【００５６】
１４…ストアコントローラ（記憶部）、２３…取引情報表示プログラム（顧客所持端末用プログラム）、２５…認証テーブル、１０１…商品販売データ処理システム、２０１…ＰＯＳ装置（商品販売データ処理装置）、２０７…コードスキャナ（商品データ入力部）、２０９…客用表示器（客用表示部）、２１０…無線通信ユニット（第１通信部）、２５１…第１情報処理部、３０１…携帯電話機（顧客携帯端末）、３０４…無線通信ユニット（第２通信部）、３０５…取引情報表示プログラム（顧客所持端末用プログラム）、３５１…マイクロコンピュータ（第２情報処理部）
【図１】
2009277055.tif 000003
【図２】
2009277055.tif 000004
【図３】
2009277055.tif 000005
【図４】
2009277055.tif 000006
【図５】
2009277055.tif 000007
【図６】
2009277055.tif 000008
【図７】
2009277055.tif 000009
【図８】
2009277055.tif 000010
【図９】
2009277055.tif 000011
【図１０】
2009277055.tif 000012
【図１１】
2009277055.tif 000013
【図１２】
2009277055.tif 000014
【図１３】
2009277055.tif 000015
【図１４】
2009277055.tif 000016
【図１５】
2009277055.tif 000017